(57)【特許請求の範囲】
【請求項１】
落下する雨水を受水する受水器と、前記受水器で受水された雨水の流勢を抑えて滴下するろ水器と、前記ろ水器から滴下する雨水を一対のますに交互に溜めて一定量溜まる毎に転倒して放水する転倒ますとを備える転倒ます形雨量計において、
前記ろ水器は、前記受水器から受ける雨水の落下方向に対して傾斜して設けられ、前記受水器から受ける雨水の流下方向を変えて雨水を受け流す樋状をした、流出端側における樋状部の幅が絞られる第１のろ水器と、前記第１のろ水器から受ける雨水の落下方向に対して傾斜して設けられ、前記第１のろ水器から流れ出る雨水の流下方向を前記転倒ますの方向へ変えて前記第１のろ水器から流れ出る雨水を前記転倒ますに滴下させる、前記第１のろ水器の流出端周囲を受水端が覆い、流出端に開口が形成された底の抜けた容器状部を有する第２のろ水器とから構成されることを特徴とする転倒ます形雨量計。
【請求項３】
前記第１のろ水器は、雨水の流下する筋に沿い、その流出端から先端が突出する第１導水路を樋状部内に有し、前記第２のろ水器は、前記第１導水路から垂れる雨水の流下する筋に沿い、その流出端から前記転倒ますの上方まで先端が突出する第２導水路を前記転倒ますへ向かって傾斜する前記容器状部の内壁に有することを特徴とする請求項１に記載の転倒ます形雨量計。
【請求項４】
前記第１導水路または前記第２導水路の少なくとも一方は、雨水の流下する筋に沿う方向における位置調節が自在に前記第１のろ水器または前記第２のろ水器に取り付けられる線材から構成されることを特徴とする請求項３に記載の転倒ます形雨量計。
【請求項５】
前記第１導水路および前記第２導水路は表面に親水性処理が施されることを特徴とする請求項３または請求項４に記載の転倒ます形雨量計。
【請求項６】
前記第１導水路は前記受水器から受ける雨水の落下方向に対して略７０°傾き、前記第２導水路は前記受水器から受ける雨水の落下方向に対して略３５°傾いて設けられることを特徴とする請求項３から請求項５のいずれか１項に記載の転倒ます形雨量計。
【請求項７】
前記第２のろ水器は、その流出端から突出する前記第２導水路の下方に前記第２導水路に並んで設けられ、前記第２導水路から零れ落ちる雨水を前記転倒ますに導く補助導水路を備えることを特徴とする請求項３から請求項６のいずれか１項に記載の転倒ます形雨量計。
【請求項８】
前記転倒ますが一転倒する雨量よりも少ない雨量の降雨を検知する感雨センサを備えることを特徴とする請求項１から請求項７のいずれか１項に記載の転倒ます形雨量計。
【請求項９】
前記感雨センサは、前記第１のろ水器内における、前記受水器から滴下する雨水が感雨部に当たる位置に設置されることを特徴とする請求項８に記載の転倒ます形雨量計。
【発明の詳細な説明】
【技術分野】
【０００１】  本発明は、落下する雨水を受水する受水器、受水器で受水された雨水を滴下するろ水器、および、ろ水器から滴下する雨水を溜めて転倒する転倒ますを備える転倒ます形雨量計に関するものである。
【背景技術】
【０００２】  従来この種の転倒ます形雨量計としては、例えば、特許文献１に開示された雨量計ろ水器を具備するものがある。【０００３】  この雨量計ろ水器は、円錐形状をした漏斗とパイプとからなり、漏斗の下縁に形成されたパイプ挿入口からパイプが挿入されて、漏斗の内壁に沿ってパイプが一体に構成してある。雨量計ろ水器の受水口は前傾するように位置づけられ、受水口の最前部が切り欠かれて流水口が設けられている。また、流水口から漏斗の外壁に沿ってパイプの排水口まで、ワイヤーからなる案内突条が設けられている。パイプの排水口は漏斗の傾斜前面方向に開口しており、漏斗の外壁に設けた案内突条を流下する雨水が流入し易いように設けてある。【０００４】  転倒ます形雨量計の受水器で受水された雨水は、上記の雨量計ろ水器に採集されることで、その運動エネルギーが弱まって転倒ますに安定して流される。また、これと共に、採集された雨水に含まれる砂等の塵が漏斗に沈殿されて、上澄みがパイプの吸水口からパイプ内を通って転倒ますへ導かれる。この際、パイプに浮遊物が流入して詰まると、雨水がパイプ内を通らなくなり、雨量計ろ水器はオーバーフローする。しかし、オーバーフローする雨水は、漏斗の受水口の最下縁部にある流水口に導かれ、パイプの排水口まで、漏斗の外壁に設けられた案内突条に沿って流下して、転倒ますへ導かれる。
【先行技術文献】
【特許文献】
【０００５】
【特許文献１】特開２０００−２４９７７４号公報
【発明の概要】
【発明が解決しようとする課題】
【０００６】  しかしながら、近年、局所的大雨や集中豪雨等による災害や被害が頻発しており、局所的大雨や集中豪雨等で雨量の値が大きくなると、漏斗をオーバーフローする雨水に勢いがつき、雨水が流水口から案内突条に沿って流下せず、流水口から飛び出してしまって、転倒ます内に入らなくなる。このため、雨量の値が大きくなると、上記従来の転倒ます形雨量計が具備する雨量計ろ水器では、雨量を持続して正確に測定することが困難になる。また、上記従来の雨量計ろ水器では、漏斗に沈殿する砂等の塵を定期的に除去する保守作業が必要となり、転倒ます形雨量計の運用に手間がかかった。
【課題を解決するための手段】
【０００７】  本発明はこのような課題を解決するためになされたもので、落下する雨水を受水する受水器と、受水器で受水された雨水の流勢を抑えて滴下するろ水器と、ろ水器から滴下する雨水を一対のますに交互に溜めて一定量溜まる毎に転倒して放水する転倒ますとを備える転倒ます形雨量計において、ろ水器が、受水器から受ける雨水の落下方向に対して傾斜して設けられ、受水器から受ける雨水の流下方向を変えて雨水を受け流す樋状をした、流出端側における樋状部の幅が絞られる第１のろ水器と、第１のろ水器から受ける雨水の落下方向に対して傾斜して設けられ、第１のろ水器から流れ出る雨水の流下方向を転倒ますの方向へ変えて第１のろ水器から流れ出る雨水を転倒ますに滴下させる、第１のろ水器の流出端周囲を受水端が覆い、流出端に開口が形成された底の抜けた容器状部を有する第２のろ水器とから構成されることを特徴とする。【０００８】  本構成によれば、受水器からろ水器に受水される雨水は、最初に、樋状の形状をした第１のろ水器に受けられて、その流下方向が第１のろ水器の傾斜によって変えられることで、流勢が抑えられて第２のろ水器へ注がれる。第１のろ水器の流出端周囲は、第２のろ水器の底の抜けた容器状部の受水端に覆われているため、第１のろ水器の流出端から第２のろ水器に注がれる雨水は、ろ水器の外に飛び出すことなく、第２のろ水器内に取り込まれる。第２のろ水器内に取り込まれた雨水は、第２のろ水器につけられた傾斜により、流勢がさらに抑えられて、第２のろ水器の容器状部の底部に形成された開口から転倒ますへ導かれる。【０００９】  したがって、局所的大雨や集中豪雨等で雨量の値が大きくなり、受水器からろ水器に受水される雨水が大量になっても、受水器からろ水器に受水される雨水は、第１のろ水器および第２のろ水器を通る間にその流勢が抑えられ、第２のろ水器の容器状部に囲まれて周りに飛び散ることなく、第２のろ水器の流出端に導かれる。このため、局所的大雨や集中豪雨等で雨量の値が大きくなっても、受水器からろ水器に受水される雨水は、確実に転倒ますに注がれ、転倒ますによって持続して正確に雨量が計量されるようになる。【００１０】  また、受水器からろ水器に受水される雨水に砂等の塵が含まれていても、その塵は、従来のようにろ水器に沈殿されず、第１のろ水器および第２のろ水器を雨水と共に流れて、外部に排出される。このため、従来のろ水器のように、漏斗に沈殿する塵を定期的に除去する保守作業は不要となり、転倒ます形雨量計の運用を容易に行えるようになる。なお、塵が外部に排出される際に転倒ますを経由するが、塵が堆積して一塊となる前の極微量のうちに排出されるので、雨量の計測に支障はない。また、仮に塵が一塊になって排出された場合、転倒ますの揺動の異常値としてデータ処理することができる。【００１２】  本構成によれば、第１のろ水器を流れる雨水は、第１のろ水器の流出端側における樋状部の幅が絞られることで、その流出端で水位が上がると共に、水速が速まる。したがって、第１のろ水器を流れる雨水に含まれる塵は、第１のろ水器に留まることなく、第１のろ水器から雨水と共に第２のろ水器へ確実に流出する。このため、受水器からろ水器に入り込む塵は��ろ水器内に滞ることなく、確実に外部へ排出される。【００１３】  また、本発明は、第１のろ水器が、雨水の流下する筋に沿い、その流出端から先端が突出する第１導水路を樋状部内に有し、第２のろ水器が、第１導水路から垂れる雨水の流下する筋に沿い、流出端から転倒ますの上方まで先端が突出する第２導水路を転倒ますへ向かって傾斜する容器状部の内壁に有することを特徴とする。【００１４】  本構成によれば、第１のろ水器を流下する雨水は、樋状部内を乱れて流れて樋状部から飛び出すことなく、樋状部内に有る第１導水路を伝って流れ、第１のろ水器の流出端から突出する第１導水路から確実に第２のろ水器内へ導かれる。第１導水路を伝って第２のろ水器内に導かれる雨水は、転倒ますへ向かって傾斜する容器状部の内壁に有る第２導水路に垂れる。したがって、第２のろ水器内に導かれる雨水は、容器状部の内壁壁面を乱れることなく、第２導水路を伝って流れ、第２のろ水器の流出端から突出する第２導水路から確実に転倒ます内へ導かれる。このため、受水器からろ水器に受水される雨水は、より確実に転倒ますに注がれるようになる。【００１５】  また、本発明は、第１導水路または第２導水路の少なくとも一方が、雨水の流下する筋に沿う方向における位置調節が自在に第１のろ水器または第２のろ水器に取り付けられる線材から構成されることを特徴とする。【００１６】  本構成によれば、第１導水路が、雨水の流下する筋に沿う方向における位置調節が自在に第１のろ水器に取り付けられる線材から構成されることで、第１のろ水器の流出端から突出する第１導水路の先端の、第２のろ水器における第２導水路に対する相対位置を調節することが可能になる。このため、第１導水路の先端から第２導水路に雨水を確実に垂らすことができる。また、第２導水路が、雨水の流下する筋に沿う方向における位置調節が自在に第２のろ水器に取り付けられる線材から構成されることで、第２のろ水器の流出端から突出する第２導水路の先端の転倒ますに対する相対位置を調節することが可能になる。このため、第２導水路の先端から転倒ますに雨水を確実に落下させることができる。【００１７】  また、本発明は、第１導水路および第２導水路が表面に親水性処理が施されることを特徴とする。【００１８】  本構成によれば、第１導水路および第２導水路を伝って流れる雨水は、流れる途中で第１導水路および第２導水路から離れることなく、確実に第１導水路および第２導水路に沿って流れる。このため、受水器からろ水器に受水される雨水は、第１導水路および第２導水路を安定して伝って流れ、転倒ますへ安定して導かれる。【００１９】  また、本発明は、第１導水路が、受水器から受ける雨水の落下方向に対して略７０°傾き、第２導水路が、受水器から受ける雨水の落下方向に対して略３５°傾いて設けられることを特徴とする。【００２０】  本構成によれば、第１導水路および第２導水路の各傾きが所定の各角度に設定されることで、受水器から受水される雨水がその水勢を抑制するのに足りる時間にわたってろ水器内を流れ、かつ、雨水に含まれる塵がろ水器内に滞らずに転倒ますへ排出される最適な状態に、ろ水器が設定される。【００２１】  また、本発明は、第２のろ水器���、その流出端から突出する第２導水路の下方に第２導水路に並んで設けられ、第２導水路から零れ落ちる雨水を転倒ますに導く補助導水路を備えることを特徴とする。【００２２】  本構成によれば、第２導水路から雨水が零れ落ちても、こぼれ落ちる雨水は補助導水路に拾われて転倒ますに導かれる。このため、転倒ますによる雨量の持続的な正確な計量が補助導水路によって担保される。【００２３】  また、本発明は、転倒ますが一転倒する雨量よりも少ない雨量の降雨を検知する感雨センサを備えることを特徴とする。【００２４】  本構成によれば、感雨センサにより、転倒ますが一転倒する雨量よりも少ない微少雨量の降雨が検知され、雨の降り始めを検出することができるようになる。【００２５】  また、本発明は、感雨センサが、第１のろ水器内における、受水器から滴下する雨水が感雨部に当たる位置に設置されることを特徴とする。【００２６】  本構成によれば、降雨が受水器によって集められて感雨センサの感雨部に導かれ、降る雨水が確実に感雨センサによって検知される。このため、雨の降り始めを確実に検出することができる。
【発明の効果】
【００２７】  本発明によれば、局所的大雨や集中豪雨等で雨量の値が大きくなっても、受水器からろ水器に受水される雨水を持続して正確に計量でき、しかも、定期的な保守作業が不要となって運用が容易に行える転倒ます形雨量計を提供することが出来る。
【図面の簡単な説明】
【００２８】
【図１】（ａ）は、本発明の一実施の形態による転倒ます形雨量計を構成する胴体の斜視図、（ｂ）は、胴体を取り外した一実施の形態による転倒ます形雨量計の内部構成を示す斜視図である。
【図２】（ａ）は、胴体を取り外した一実施の形態による転倒ます形雨量計の内部構成を示す側面図、（ｂ）は、（ａ）に示す状態の転倒ます形雨量計から漏斗を除いた際の平面図である。
【図３】（ａ）は、一実施の形態による転倒ます形雨量計を構成するろ水器の斜視図、（ｂ）は正面図、（ｃ）は側面図である。
【図４】（ａ）は、図３に示すろ水器を構成する第１のろ水器の斜視図、（ｂ）は平面図である。
【図５】（ａ）は、図３に示すろ水器を構成する補助導水路の上方からの斜視図、（ｂ）は正面図、（ｃ）は下方からの斜視図である。
【図６】（ａ）は、図３に示すろ水器から補助導水路を取り外した際のろ水器の正面図、（ｂ）は側面図、（ｃ）は第２のろ水器のＡ−Ａ線破断矢視断面図である。
【図７】（ａ）は、胴体を取り外した他の実施の形態による転倒ます形雨量計の内部構成を示す一部破断側面図、（ｂ）は平面図である。
【図８】（ａ）は、図７に示す他の実施の形態による転倒ます形雨量計を構成する感雨センサの平面図、（ｂ）は側面図、（ｃ）はこの感雨センサを用いて構成される降雨開始時間検出回路のブロック構成図である。
【図９】（ａ）は、他の実施の形態の第１変形例による転倒ます形雨量計を構成するろ水器の平面図、（ｂ）は正面図、（ｃ）はこのろ水器のＢ−Ｂ線破断矢視断面図である。
【図１０】（ａ）は、他の実施の形態の第２変形例による転倒ます形雨量計の正面図、（ｂ）は平面図である。
【発明を実施するための形態】
【００２９】  次に、本発明による転倒ます形雨量計を実施するための形態について説明する。
【００３０】  図１（ａ）は、本発明の一実施の形態による転倒ます形雨量計１の外郭を構成する胴体の斜視図である。転倒ます形雨量計１は、胴体２に覆われて構成される。図１（ｂ）は、胴体２を取り外した転倒ます形雨量計１の内部構成を示す斜視図であり、図２（ａ）はその側面図である。転倒ます形雨量計１は、落下する雨水を受水する受水器３と、受水器で受水された雨水を計量する計量部５とから構成される。受水器３は円錐形状をした漏斗４から構成される。図２（ｂ）は、図１（ｂ）および図２（ａ）に示す状態の転倒ます形雨量計１からこの漏斗４を除いた際の平面図である。計量部５は、ろ水器６、転倒ます７、基板８、軸９、おもり１０、ストッパ１１、排水筒１２および基台１３等から構成される。
【００３１】  ろ水器６は取付具１４によって基板８に取り付けられている。基板８は円盤状をした基台１３に立設されている。ろ水器６は、漏斗４で受水した雨水を受け、受けた雨水を転倒ます７へ滴下する。転倒ます７は、一対のます７ａ，７ｂが軸９を中心に対称に設けられて構成されている。一対のます７ａ，７ｂには、ろ水器６から滴下する雨水が所定量交互に溜められる。いずれか一方のます７ａ，７ｂに一定量の雨水が溜まる毎に、転倒ます７は軸９を中心に転倒して揺動する。
【００３２】  軸９は転倒ます７の側面を貫通して設けられている。転倒ます７の軸９にある揺動中心は、転倒ます７の底面より上方に設けられており、転倒ます７の揺動はおもり１０によって付勢される。おもり１０は、直方体状をしており、転倒ます７の揺動中心よりも上方の転倒ます７の側方に設けられている。また、各ます７ａ，７ｂの下方には一対のストッパ１１，１１が設けられている。転倒ます７の揺動は、この一対のストッパ１１，１１で各ます７ａ，７ｂの下面が受けられて、停止する。
【００３３】  転倒ます７が揺動すると、各ます７ａ，７ｂに溜まった雨水は一対の排水筒１２，１２へ放水される。転倒ます７の揺動する回数は、図示しないリードスイッチの発するパルス数によってカウントされ、雨量が計測される。本実施形態では、受水器３の口径が２００ｍｍであり、転倒ます形雨量計１は０．５ｍｍの雨量を計量する毎に１つのパルス信号を発する。
【００３４】  上記のように構成される計量部５におけるろ水器６は、図３（ａ）に斜視図、図３（ｂ）に正面図、図３（ｃ）に側面図が示される。ろ水器６は、第１のろ水器６ａ、第２のろ水器６ｂ、第１導水線６ｃ、第２導水線６ｄおよび補助導水路６ｅから構成され、受水器３で受水された雨水の流勢を抑えて転倒ます７へ滴下する。
【００３５】  第１のろ水器６ａは、図４（ａ）に斜視図、図４（ｂ）に平面図が示され、円筒管を中心軸方向に半分にカットした樋状をしており、樹脂から形成される。本実施形態では、第１のろ水器６ａは、樋状部の幅Ｗが流出端６a1の側において幅ｗ（Ｗ＞ｗ）に狭められて樋状部の幅が絞られている。樋状部先端部の断面形状は、幅Ｗを有する樋状部基部の断面形状に比べて、断面積が小さくなっている。第１のろ水器６ａは、雨水の流下する樋状部の谷筋に沿い、流出端６a1から先端が突出する第１導水線６ｃを第１導水路として、樋状部内に有する。第１導水線６ｃは、直径φが２ｍｍ程度のステンレス製の線材によってピン状に構成され、樋状部の谷底に雨水の流下する筋に沿って線状に形成された溝６a2に嵌められる。第１導水線６ｃは、この溝６a2に沿ってスライドすることで、雨水の流下する筋に沿う方向における位置調節が自在になっており、第１のろ水器６ａに接着剤によって接着されて取り付けられる。
【００３６】  第１のろ水器６ａは、図３（ｃ）に示すように、第１導水線６ｃが、受水器３から受ける雨水の落下方向に対して略７０°、言い換えれば転倒ます形雨量計１の設置面に対して略２０°傾斜して設けられ、受水器３から受ける雨水の流下方向を第１導水線６ｃに沿って変えて、雨水を受け流す。
【００３７】  第２のろ水器６ｂは、図３に示すように、基板８への取付部６b1と、取付部６b1から延出する樋状をしたホルダー部６b2と、ホルダー部６b2の先端に設けられた容器状部６b3と、容器状部６b3の外壁に形成されたアダプタ部６b4とから構成され、樹脂から形成される。取付部６b1は板状をしており、板面に開口した取付穴６b11に取付具１４が挿入されて、基板８に取り付けられる。ホルダー部６b2はその樋状部に第１のろ水器６ａを収納し、第１のろ水器６ａの先端部の流出端６a1をホルダー部６b2から容器状部６b3へ突出させる。容器状部６b3は、底の抜けた容器状をしており、上方に楕円状に開口した受水端６b31が第１のろ水器６ａの流出端６a1の周囲を覆う。また、容器状部６b3は、その底部の流出端６b32に開口が形成されている。この開口は、受水端６b31の開口よりも小さな楕円状に形成されている。また、この開口の面積は、第１のろ水器６ａにおける幅Ｗの樋状部基部の断面積の２倍程度に設定されている。
【００３８】  容器状部６b3は、転倒ます７へ向かって傾斜する外壁にアダプタ部６b4が突出して一体に形成されている。このアダプタ部６b4には、図５に示される樹脂製の補助導水路６ｅが図３に示すように嵌められる。ろ水器６は、補助導水路６ｅが取り外された状態の正面図が図６（ａ）、側面図が図６（ｂ）に示される。また、図６（ａ）に示す状態のろ水器６から第１のろ水器６ａを取り外した第２のろ水器６ｂのＡ−Ａ線破断矢視断面図が図６（ｃ）に示される。アダプタ部６b4は断面が略三日月状に容器状部６b3の外壁に突出しており、容器状部６b3の流出端６b32側に近づくに連れ、容器状部６b3の底部に向かって細まるすぼみを覆うように両側部が突出して湾曲している。アダプタ部６b4の背側には、アダプタ部６b4の長手方向に沿って溝６b41が形成されている。なお、アダプタ部６b4は第２のろ水器６ｂと別体に設け、別部品として構成してもよい。
【００３９】  図５（ａ）は補助導水路６ｅを斜め上方から見下ろした斜視図、図５（ｂ）は補助導水路６ｅの正面図、図５（ｃ）は補助導水路６ｅを斜め下方から見上げた斜視図である。補助導水路６ｅも、アダプタ部６b4と同様に断面が略三日月状をしており、容器状部６b3の受水端６b31側に取り付けられる基部６e1の厚みが厚く、流出端６b32側に取り付けられる先端部６e2の厚みが薄くなっている。また、基部６e1の湾曲内側中央には、凸条部６e3が補助導水路６ｅの長手方向に沿って延在している。補助導水路６ｅは、凸条部６e3がアダプタ部６b4の溝６b41に嵌められて圧入されることで、または接着されることで、アダプタ部６b4の背側に図３に示すように固定される。
【００４０】  容器状部６b3の転倒ます７へ向かって傾斜する内壁には、図６（ｃ）に示すように、第１導水線６ｃの先端から垂れる雨水の流下する筋に沿って溝６b33が形成されている。この溝６b33には、第２導水線６ｄの一方の端部が接着剤によって接着されて取り付けられる。第２導水線６ｄの他方の端部は、先端が容器状部６b3の流出端６b32から突出し、補助導水路６ｅがアダプタ部６b4に取り付けられたとき、図３（ｃ）に示すように、補助導水路６ｅの先端部６e2から浮く。つまり、補助導水路６ｅと第２導水線６ｄの先端側との間に距離が設けられ、空間が形成される。第２導水線６ｄの先端は、ろ水器６が基板８に取り付けられたとき、図２（ａ）に示すように、転倒ます７の上方まで突出する。すなわち、第２のろ水器６ｂは、第１導水線６ｃの先端から垂れる雨水の流下する筋に沿い、転倒ます７へ向かって傾斜する容器状部６b3の内壁に第２導水線６ｄを第２導水路として有する。第２導水線６ｄも、直径φが２ｍｍ程度のステンレス製の線材によってピン状に構成される。第２導水線６ｄは、容器状部６b3の内壁に形成された溝６b33に沿ってスライドすることで、雨水の流下する筋に沿う方向における位置調節が自在になっている。
【００４１】  第２のろ水器６ｂは、第１のろ水器６ａから受ける雨水の落下方向、つまり、受水器３から受ける雨水の落下方向に対して、図３（ｃ）に示すように第２導水線６ｄが略３５°傾斜して設けられる。そして、第１のろ水器６ａから流れ出る雨水の流下方向を第２導水線６ｄに沿わせて転倒ます７の方向へ変えて、第１のろ水器６ａから流れ出る雨水を転倒ます７に滴下させる。また、第２のろ水器６ｂは、容器状部６b3の流出端６b32から突出する第２導水線６ｄの下方に第２導水線６ｄに並んで補助導水路６ｅが設けられ、補助導水路６ｅにより第２導水線６ｄから零れ落ちる雨水を転倒ます７に導く。
【００４２】  本実施形態では、第１導水線６ｃおよび第２導水線６ｄの表面には、親水性処理が施される。この親水性処理は、ポーラスＣｒメッキや、超親水性塗料の焼付け塗装が第１導水線６ｃおよび第２導水線６ｄの各表面に対して行われて、各表面に被膜が形成されることなどで、行われる。また、第１導水線６ｃおよび第２導水線６ｄの先端は、本実施形態では半球状をしている。しかし、各先端を斜めにカットするなどして尖らせるようにしてもよい。
【００４３】  このような本実施形態による転倒ます形雨量計１によれば、受水器３からろ水器６に受水される雨水は、最初に、樋状の形状をした第１のろ水器６ａに受けられて、その流下方向が第１のろ水器６ａの傾斜によって変えられることで、流勢が抑えられて第２のろ水器６ｂへ注がれる。第１のろ水器６ａの流出端６a1の周囲は、第２のろ水器６ｂの容器状部６b3の受水端６b31に覆われているため、第１のろ水器６ａの流出端６a1から第２のろ水器６ｂに注がれる雨水は、ろ水器６の外に飛び出すことなく、第２のろ水器６ｂ内に取り込まれる。第２のろ水器６ｂ内に取り込まれた雨水は、第２のろ水器６ｂにつけられた傾斜により、流勢がさらに抑えられて、第２のろ水器６ｂの容器状部６b3の底部に形成された流出端６b32の開口から転倒ます７へ導かれる。
【００４４】  したがって、局所的大雨や集中豪雨等で雨量の値が大きくなり、受水器３からろ水器６に受水される雨水が大量になっても、受水器３からろ水器６に受水される雨水は、第１のろ水器６ａおよび第２のろ水器６ｂを通る間にその流勢が抑えられ、第２のろ水器６ｂの容器状部６b3に囲まれて周りに飛び散ることなく、第２のろ水器６ｂの流出端６b32に導かれる。このため、局所的大雨や集中豪雨等で雨量の値が大きくなっても、受水器３からろ水器６に受水される雨水は、確実に転倒ます７に注がれ、転倒ます７によって持続して正確に雨量が計量されるようになる。
【００４５】  また、受水器３からろ水器６に受水される雨水に砂等の塵が含まれていても、その塵は、従来のようにろ水器６に沈殿されず、第１のろ水器６ａおよび第２のろ水器６ｂを雨水と共に流れて、排水筒１２，１２から外部に排出されるようになる。このため、従来のろ水器のように、漏斗に沈殿する塵を定期的に除去する保守作業は不要となり、転倒ます形雨量計１の運用を容易に行えるようになる。なお、塵が外部に排出される際に転倒ます７を経由するが、塵が堆積して一塊となる前の極微量のうちに、転倒ます７の揺動によって排水筒１２，１２を介して外部へ排出されるので、転倒ます形雨量計１による雨量の計測に支障はない。また、仮に塵が一塊になって排出された場合、転倒ます７の揺動の異常値としてデータ処理することができる。
【００４６】  また、本実施形態による転倒ます形雨量計１によれば、第１のろ水器６ａを流れる雨水は、第１のろ水器６ａの樋状部の幅Ｗが流出端６a1の側において幅ｗ（Ｗ＞ｗ）に絞られることで、その流出端６a1で水位が上がると共に、水速が速まる。したがって、第１のろ水器６ａを流れる雨水に含まれる塵は、第１のろ水器６ａに留まることなく、第１のろ水器６ａから雨水と共に第２のろ水器６ｂへ確実に流出する。このため、受水器３からろ水器６に入り込む塵は、ろ水器６内に滞ることなく、確実に外部へ排出される。
【００４７】  また、本実施形態による転倒ます形雨量計１によれば、第１のろ水器６ａを流下する雨水は、樋状部内を乱れて流れて樋状部から飛び出すことなく、樋状部内に有る第１導水線６ｃを伝って流れ、第１のろ水器６の流出端６a1から突出する第１導水線６ｃから確実に第２のろ水器６ｂ内へ導かれる。第１導水線６ｃを伝って第２のろ水器６ｂ内に導かれる雨水は、転倒ます７へ向かって傾斜する容器状部６b3の内壁に有る第２導水線６ｄに垂れる。したがって、第２のろ水器６ｂ内に導かれる雨水は、容器状部６b3の内壁壁面を乱れることなく、第２導水線６ｄを伝って流れ、第２のろ水器６ｂの流出端６b32から突出する第２導水線６ｄから確実に転倒ます７内へ導かれる。このため、受水器３からろ水器６に受水される雨水は、より確実に転倒ます７に注がれるようになる。
【００４８】  また、本実施形態による転倒ます形雨量計１によれば、第１導水路が、雨水の流下する筋に沿う方向における位置調節が自在に第１のろ水器６ａに取り付けられる第１導水線６ｃから構成されることで、第１のろ水器６ａの流出端６a1から突出する第１導水路の先端の、第２のろ水器６ｂにおける第２導水路に対する相対位置を調節することが可能になる。このため、第１導水路の先端から第２導水路に雨水を確実に垂らすことができる。また、第２導水路が、雨水の流下する筋に沿う方向における位置調節が自在に第２のろ水器６ｂに取り付けられる第２導水線６ｄから構成されることで、第２のろ水器６ｂの流出端６b32から突出する第２導水路の先端の転倒ます７に対する相対位置を調節することが可能になる。このため、第２導水路の先端から転倒ます７に雨水を確実に落下させることができる。
【００４９】  また、本実施形態による転倒ます形雨量計１によれば、親水性処理が表面に施された第１導水線６ｃおよび第２導水線６ｄを伝って流れる雨水は、流れる途中で第１導水線６ｃおよび第２導水線６ｄから離れることなく、確実に第１導水線６ｃおよび第２導水線６ｄに沿って流れる。このため、受水器３からろ水器６に受水される雨水は、第１導水線６ｃおよび第２導水線６ｄを安定して伝って流れ、転倒ます７へ安定して導かれる。
【００５０】  また、本実施形態による転倒ます形雨量計１によれば、第１導水線６ｃおよび第２導水線６ｄの各傾きが略７０°と略３５°の所定の各角度に設定されることで、受水器３から受水される雨水がその水勢を抑制するのに足りる時間にわたってろ水器６内を流れ、かつ、雨水に含まれる塵がろ水器６内に滞らずに転倒ます７へ排出される最適な状態に、ろ水器６が設定される。
【００５１】  また、本実施形態による転倒ます形雨量計１によれば、第２導水線６ｄから雨水が零れ落ちても、零れ落ちる雨水は補助導水路６ｅに拾われて転倒ます７に導かれる。補助導水路６ｅは必ずしも必要ではないが、補助導水路６ｅを備えることにより、転倒ます７による雨量の持続的な正確な計量が担保される。
【００５２】  本実施形態による転倒ます形雨量計１の奏する上記の効果を確認するため、１時間当たりの雨量が５０〜２００ｍｍに相当する水量の水を電磁定量ポンプでろ水器６に注水すると共に、ろ水器６に浸入する可能性のある砂や小枝を注入する水に混ぜて、検証した。その結果、砂や小枝はろ水器６内に堆積することなく外部へ排出され、転倒ます形雨量計１は計測不能になることなく、正確に持続して雨量を計量したことが確認された。
【００５３】  なお、上記の実施形態では、第１導水路および第２導水路がステンレス製ピンによって形成される第１導水線６ｃおよび第２導水線６ｄによって構成された場合について、説明した。しかし、第１導水路および第２導水路は、ステンレス製ピン等の線材に限られず、第１のろ水器６ａおよび第２のろ水器６ｂを形成する樹脂によって一体成型される線条路から構成するようにしてもよい。この場合においても、線条路の表面に親水性処理を施すことが好ましい。
【００５４】  また、上記の実施形態では、第１導水線６ｃおよび第２導水線６ｄに親水性処理を施した場合について説明したが、第１のろ水器６ａおよび第２のろ水器６ｂ自体、さらには補助導水路６ｅの表面にも親水性処理を施すように構成してもよい。
【００５５】  また、上記の実施形態では、第１導水線６ｃおよび第２導水線６ｄを第１のろ水器６ａおよび第２のろ水器６ｂに接着剤で固定した場合について説明したが、第１のろ水器６ａおよび第２のろ水器６ｂに形成した溝６a2および６b33に圧入する等して、嵌合により固定するように構成してもよい。また、第１のろ水器６ａ、第２のろ水器６ｂおよび補助導水路６ｅは上記の実施形態では樹脂によって構成した場合について説明したが、金属によって構成するようにしてもよい。この場合、第１導水線６ｃおよび第２導水線６ｄは第１のろ水器６ａおよび第２のろ水器６ｂに溶接して固定することができる。
【００５６】  上記の実施形態では、受水器の口径が２００ｍｍで０．５ｍｍの雨量毎にパルス信号を発する構造の転倒ます形雨量計について、説明した。しかし、０．１ｍｍや１ｍｍ毎にパルス信号を発するタイプの転倒ます形雨量計についても、同様に本発明を適用することが出来、上記の実施形態と同様な作用効果が奏される。
【００５７】  図７は、本発明の他の実施形態による転倒ます形雨量計１Ａを示し、図７（ａ）は、胴体２を取り外した転倒ます形雨量計１Ａの内部構成を示す一部破断側面図、図７（ｂ）は平面図である。図７（ａ）に示す一部破断側面図は、受水器３を構成する漏斗４Ａの部分だけが一部破断された断面図になっている。なお、図７において図２と同一または相当する部分には同一符号を付してその説明は省略する。
【００５８】  この他の実施形態による転倒ます形雨量計１Ａは、漏斗４Ａの形状が上記の実施形態による転倒ます形雨量計１おける漏斗４と異なり、円錐形状をした部分の上方に円筒形状をした部分が一体になった形状をしている。雨水を直接受ける円錐形状をした部分の内壁上方には、感雨センサ２１が後述するくし形電極パターン２１ｂを上に向けて取り付けられている。本実施形態では、感雨センサ２１はくし形抵抗方式によって降雨を検知し、外観が図８（ａ）の平面図、図８（ｂ）の側面図に示される。
【００５９】  感雨センサ２１は、基板２１ａ上に金属導体によってくし形電極パターン２１ｂが形成されて、構成されている。くし形電極パターン２１ｂの部分は降雨を検知する感雨部を構成している。基板２１ａにはコネクタ２１ｃが設けられており、くし形電極パターン２１ｂはこのコネクタ２１ｃを介して図８（ｃ）に示すように制御回路２２に接続されている。図８（ｃ）は、感雨センサ２１を用いて構成される降雨開始時間検出回路のブロック構成図である。制御回路２２は、Aruduino（アルデュイーノ ）やRaspberry Pi（ラズベリーパイ）といったシングルボードコンピュータによって構成され、バッテリ２３から電源の供給を受けて動作する。
【００６０】  本実施形態では、制御回路２２は感雨センサ２１のくし形電極パターン２１ｂに交流電圧を印加して、くし形電極パターン２１ｂ間の抵抗変化を測定して、降雨を検知する。制御回路２２によって測定されるくし形電極パターン２１ｂ間の抵抗値は、その計測時刻と共にデータロガー２４へ出力され、その時間変化がデータロガー２４に記録される。雨の降り出し時刻は、このデータロガー２４に記録されるくし形電極パターン２１ｂ間の抵抗値の時間変化から、読み取られる。なお、制御回路２２やデータロガー２４は、転倒ます形雨量計１Ａの近傍に設置される制御ボックスなどに収納される。
【００６１】  このような他の実施形態による転倒ます形雨量計１Ａによれば、感雨センサ２１により、転倒ます７が一転倒する雨量よりも少ない微少雨量の降雨が検知され、雨の降り始めを検出することができるようになる。
【００６２】  図９は、転倒ます形雨量計１Ａにおける感雨センサ２１の設置位置を漏斗４Ａ内に代えて第１のろ水器６ａ内とした第１の変形例による転倒ます形雨量計１Ｂにおける、感雨センサ２１の設置状態を示す図である。図９（ａ）は、この第１の変形例による転倒ます形雨量計１Ｂにおけるろ水器６の平面図、図９（ｂ）は正面図、図９（ｃ）は、図９（ａ）に示すろ水器６のＢ−Ｂ線破断矢視断面図である。なお、図９において図３と同一または相当する部分には同一符号を付してその説明は省略する。
【００６３】  第１の変形例による転倒ます形雨量計１Ｂでは、感雨センサ２１は、第１のろ水器６ａ内における、受水器３から滴下する雨水が感雨部を構成するくし形電極パターン２１ｂに当たる位置に設置される。また、感雨センサ２１は、受水器３から基板２１ａに落下する砂や塵が基板２１ａに残らない傾斜角度が付けられて、第１のろ水器６ａ内に設置される。本構成によれば、降雨が受水器３によって集められて感雨センサ２１のくし形電極パターン２１ｂに導かれ、降る雨水が確実に感雨センサ２１によって検知される。このため、雨の降り始めを確実に検出することができる。
【００６４】  上記の第１の変形例による転倒ます形雨量計１Ｂについて、脈動が無く連続で一定流が吐出できる定量ポンプを使用して受水器３に注水し、感雨センサ２１が検知できる最小の雨量を日本工業規格ＪＩＳＢ７３０９−１９８２にしたがった試験方法で計測した。この計測では、受水器３への注水量を雨量１ｍｍ相当の流量から０．９ｍｍ、０．８ｍｍ、０．７ｍｍ、…と、０．１ｍｍ刻みに流量を減らして行った。その結果、雨量０．１ｍｍ相当の流量でも感雨センサ２１が注水すなわち降雨を検知した。転倒ます形雨量計１Ｂは、受水器３の直径が２００ｍｍで転倒ます７の一転倒雨量が０．５ｍｍであるため、転倒ます７が一転倒する雨量よりも少ない微少雨量の降雨が感雨センサ２１によって検知されることが確認された。すなわち、転倒ます形雨量計１Ｂによれば、感雨センサ２１により、雨の降り始めを確実に検出することができることが確認された。
【００６５】  図１０は、転倒ます形雨量計１Ａにおける感雨センサ２１の設置位置を漏斗４Ａ内に代えて胴体２Ｃの側部とした第２の変形例による転倒ます形雨量計１Ｃにおける、感雨センサ２１の設置状態を示す図である。図１０（ａ）は、この第２の変形例による転倒ます形雨量計１Ｃの正面図、図１０（ｂ）は平面図である。なお、図１０において図１と同一または相当する部分には同一符号を付してその説明は省略する。
【００６６】  この第２の変形例による転倒ます形雨量計１Ｃは、胴体２Ｃの形状が上記の実施形態による転倒ます形雨量計１おける胴体２と異なり、寸胴な円筒形状をしている。感雨センサ２１は、胴体２の上部外周に巻かれたアタッチメント３１に、くし形電極パターン２１ｂを上に向けて取り付けられている。
【００６７】  第２の変形例による転倒ます形雨量計１Ｃによっても、感雨センサ２１により、転倒ます７が一転倒する雨量よりも少ない微少雨量の降雨が検知され、雨の降り始めを検出することができるようになる。
【００６８】  なお、上述した転倒ます形雨量計１Ａ，１Ｂ，１Ｃにおいては感雨センサ２１がくし形抵抗方式によって降雨を検知する場合について、説明した。しかし、感雨センサ２１の降雨検知方式はこれに限定されるものではなく、雨粒の粒子を光によって検出して降雨を検知する光学方式や、コンデンサの電極間に挟まれた誘電体が水分によって誘電率を変化させることを検出して降雨を検知する静電容量方式のものなどであってもよい。
【符号の説明】
【００６９】  １…転倒ます形雨量計、２…胴体、３…受水器、４…漏斗、５…計量部、６…ろ水器、６ａ…第１のろ水器、６a1…流出端、６a2…溝、６ｂ…第２のろ水器、６b1…取付部、６b11…取付穴、６b2…ホルダー部、６b3…容器状部、６b31…受水端、６b32…流出端、６b33…溝、６b4…アダプタ部、６b41…溝、６ｃ…第１導水線（第１導水路）、６ｄ…第２導水線（第２導水路）、６ｅ…補助導水路、６e1…基部、６e2…先端部、６e3…凸条部、７…転倒ます、７ａ，７ｂ…ます、８…基板、９…軸、１０…おもり、１１…ストッパ、１２…排水筒、１３…基台、１４…取付具、２１…感雨センサ、２１ａ…基板、２１ｂ…くし形電極パターン、２１ｃ…コネクタ
【図１】
0006936538.tif 000002
【図２】
0006936538.tif 000003
【図３】
0006936538.tif 000004
【図４】
0006936538.tif 000005
【図５】
0006936538.tif 000006
【図６】
0006936538.tif 000007
【図７】
0006936538.tif 000008
【図８】
0006936538.tif 000009
【図９】
0006936538.tif 000010
【図１０】
0006936538.tif 000011